(57)【要約】【課題】  蓄積された番組の中から、多数の視聴者が興味を持った場面を容易に選択可能にし、蓄積されたコンテンツの効率のよい視聴を実現する受信装置、および特定の場面を示す集計グラフを作成するための集計グラフ作成方法を提供する。【解決手段】  コンテンツ関連情報蓄積部２４は、電子掲示板サーバ２から取得された投稿文データをコンテンツ関連情報として表示するための画面情報を作成し、さらに集計グラフ作成部２３は、コンテンツ関連情報を分析し、集計グラフを表示するための情報を作成する。これら作成された複数の情報を基に、ＡＶ変換部１２は映像信号を生成する。【選択図】  図４
2005223534.tif 000002
【特許請求の範囲】
【請求項１】
コンテンツを視聴している視聴者によって作成される当該コンテンツに対する投稿文がアップロードされ、このアップロードされたときの時刻を付加して当該投稿文をコンテンツ関連情報として記憶する電子掲示板サーバにネットワークを介して接続され、配信された前記コンテンツを受信し、当該コンテンツに関連した前記コンテンツ関連情報を前記電子掲示板サーバから取得し、当該コンテンツを再生すると共に前記投稿文を表示させる受信装置であって、
複数の前記コンテンツ関連情報を記憶し、当該複数のコンテンツ関連情報から特定文字列が含まれているコンテンツ関連情報を抽出し、前記コンテンツの再生開始位置を示す時刻情報に対応した時刻にアップロードされた前記投稿文を前記コンテンツ関連情報から抽出するコンテンツ関連情報蓄積手段と、
前記特定文字列が含まれている前記コンテンツ関連情報の時間経過に伴う投稿頻度を表す集計グラフを表示するための集計グラフ情報を作成し、前記視聴者が選択した前記集計グラフ上の座標を変換して前記時刻情報を作成する集計グラフ作成手段と、
前記視聴者によって記録要求された前記コンテンツを記録し、この記録されたコンテンツのうち、前記コンテンツ関連情報に関連したコンテンツを再生するため、前記時刻情報によって指定された再生開始位置から当該コンテンツを取得するコンテンツ蓄積手段と、
を備えることを特徴とする受信装置。
【請求項２】
前記コンテンツ関連情報蓄積手段は、前記集計グラフ作成手段によって作成された前記時刻情報に対応した時刻にアップロードされた前記投稿文を前記コンテンツ関連情報から抽出することを特徴とする請求項１に記載の受信装置。
【請求項３】
前記コンテンツ関連情報蓄積手段は、前記視聴者が選択した前記投稿文のアップロードされた時刻から前記時刻情報を作成することを特徴とする請求項１乃至請求項２に記載の受信装置。
【請求項４】
前記集計グラフ作成手段は、前記時刻情報に対応した時刻を含む前記集計グラフ情報を作成することを特徴とする請求項１乃至請求項３に記載の受信装置。
【請求項５】
コンテンツを視聴している視聴者によって作成される当該コンテンツに対する投稿文がアップロードされ、このアップロードされたときの時刻を付加して当該投稿文をコンテンツ関連情報として記憶する電子掲示板サーバと、前記電子掲示板サーバにネットワークを介して接続され、配信された前記コンテンツを受信し、当該コンテンツに関連した前記コンテンツ関連情報を前記電子掲示板サーバから取得し、当該コンテンツを再生すると共に前記投稿文を表示させる受信装置とから構成されるコンテンツ視聴システムにおける特定文字列が含まれている前記コンテンツ関連情報の時間経過に伴う投稿頻度を表す集計グラフを表示するための集計グラフ情報を作成する集計グラフ作成方法であって、
前記受信装置は、
前記コンテンツ関連情報を記憶し、当該コンテンツ関連情報に特定文字列が含まれているコンテンツ関連情報を抽出するコンテンツ関連情報蓄積工程と、
前記特定文字列が含まれている前記コンテンツ関連情報の単位時間あたりの数、または前記コンテンツ関連情報に含まれている前記特定文字列の単位時間あたりの数をカウントするフィルタ処理工程と、
前記コンテンツ関連情報の単位時間あたりの数、または前記特定文字列の単位時間あたりの数を基に前記集計グラフ情報を作成する集計グラフ作成工程と、
を有することを特徴とする集計グラフ作成方法。
【請求項６】
前記電子掲示板サーバは、
特定文字列が含まれている前記コンテンツ関連情報の単位時間あたりの数、または前記コンテンツ関連情報に含まれている特定文字列の単位時間あたりの数をカウントするフィルタ処理工程を有することを特徴とする請求項５に記載の集計グラフ作成方法。
【請求項７】
前記受信装置は、
前記電子掲示板サーバがカウントした前記コンテンツ関連情報の単位時間あたりの数、または前記特定文字列の単位時間あたりの数を取得して前記集計グラフ情報を作成する集計グラフ作成工程を有することを特徴とする請求項６に記載の集計グラフ作成方法。
【発明の詳細な説明】
【技術分野】
【０００１】
本発明は、多数の視聴者が興味を持った特定の場面を抽出し、ダイジェスト視聴を可能にする受信装置、および特定の場面を示す集計グラフを作成するための集計グラフ作成方法に関する。
【背景技術】
【０００２】
ＤＶＤレコーダやハードディスクレコーダ等、大容量の記憶装置を備えた受信装置では、数十時間分の番組や動画等の多数のコンテンツが受信装置内に記録蓄積されることがある。この蓄積されたコンテンツを効率よく視聴する手段があると、利用者にとってはたいへん便利である。
【０００３】
実際に利用者が利用可能な効率よく視聴するための手段としては、リモコンの早送り、あるいは早戻しボタンを押し、高速でサーチしながら特定場面を探索する方法や、再生制御画面の再生シークバーを動かし、特定場面を探索する方法であった。また、他の手段として、自動で生成されたインデックス画面のリストから場面を選択するなどの方法があった。
【０００４】
このような方法では、利用者が蓄積された番組の中から興味を引きそうな場面を探し出したい場合、操作に手間がかかり、効率良く特定場面を探索することはできなかった。
【０００５】
ところで、蓄積された番組に同期して、コンテンツ関連情報を表示させようとするものがあるが（例えば、特許文献１）、番組の注目すべき特定場面を選択するための手段は用意されていなかった。
【０００６】
また、番組の興味の変化を利用者からのリアルタイムのフィードバックで作成し、番組に対する評価を実施しようとするものもあるが（例えば、特許文献２）、蓄積番組に対し、特定場面を選択するための手段は用意されていなかった。
【０００７】
また、これらの方法を用いた場合でも、利用者にとって内容そのものに興味を引くような特定場面を探索することは容易ではなかった。
【特許文献１】特開平１０−１３６３１２号公報
【特許文献２】特開２００３−３０１０５号公報
【発明の開示】
【発明が解決しようとする課題】
【０００８】
そこで本発明は、蓄積された番組の中から、多数の視聴者が興味を持った場面を容易に選択可能にし、蓄積されたコンテンツの効率のよい視聴を実現する受信装置、および特定の場面を示す集計グラフを作成するための集計グラフ作成方法を提供することを目的とする。
【課題を解決するための手段】
【０００９】
上記目的を達成するために、請求項１に記載の受信装置は、コンテンツを視聴している視聴者によって作成される当該コンテンツに対する投稿文がアップロードされ、このアップロードされたときの時刻を付加して当該投稿文をコンテンツ関連情報として記憶する電子掲示板サーバにネットワークを介して接続され、  配信された前記コンテンツを受信し、当該コンテンツに関連した前記コンテンツ関連情報を前記電子掲示板サーバから取得し、当該コンテンツを再生すると共に前記投稿文を表示させる受信装置であって、複数の前記コンテンツ関連情報を記憶し、当該複数のコンテンツ関連情報から特定文字列が含まれているコンテンツ関連情報を抽出し、前記コンテンツの再生開始位置を示す時刻情報に対応した時刻にアップロードされた前記投稿文を前記コンテンツ関連情報から抽出するコンテンツ関連情報蓄積手段と、前記特定文字列が含まれている前記コンテンツ関連情報の時間経過に伴う投稿頻度を表す集計グラフを表示するための集計グラフ情報を作成し、前記視聴者が選択した前記集計グラフ上の座標を変換して前記時刻情報を作成する集計グラフ作成手段と、前記視聴者によって記録要求された前記コンテンツを記録し、この記録されたコンテンツのうち、前記コンテンツ関連情報に関連したコンテンツを再生するため、前記時刻情報によって指定された再生開始位置から当該コンテンツを取得するコンテンツ蓄積手段とを備えることを特徴とする。
【００１０】
また、請求項２に記載の受信装置は、請求項１に記載の受信装置であって、前記コンテンツ関連情報蓄積手段は、前記集計グラフ作成手段によって作成された前記時刻情報に対応した時刻にアップロードされた前記投稿文を前記コンテンツ関連情報から抽出することを特徴とする。
【００１１】
また、請求項３に記載の受信装置は、請求項１乃至請求項２に記載の受信装置であって、前記コンテンツ関連情報蓄積手段は、前記視聴者が選択した前記投稿文のアップロードされた時刻から前記時刻情報を作成することを特徴とする。
【００１２】
また、請求項４に記載の受信装置は、請求項１乃至請求項３に記載の受信装置であって、前記集計グラフ作成手段は、前記時刻情報に対応した時刻を含む前記集計グラフ情報を作成することを特徴とする。
【００１３】
また、請求項５に記載の集計グラフ作成方法は、コンテンツを視聴している視聴者によって作成される当該コンテンツに対する投稿文がアップロードされ、このアップロードされたときの時刻を付加して当該投稿文をコンテンツ関連情報として記憶する電子掲示板サーバと、前記電子掲示板サーバにネットワークを介して接続され、配信された前記コンテンツを受信し、当該コンテンツに関連した前記コンテンツ関連情報を前記電子掲示板サーバから取得し、当該コンテンツを再生すると共に前記投稿文を表示させる受信装置とから構成されるコンテンツ視聴システムにおける特定文字列が含まれている前記コンテンツ関連情報の時間経過に伴う投稿頻度を表す集計グラフを表示するための集計グラフ情報を作成する集計グラフ作成方法であって、前記受信装置は、前記コンテンツ関連情報を記憶し、当該コンテンツ関連情報に特定文字列が含まれているコンテンツ関連情報を抽出するコンテンツ関連情報蓄積工程と、前記特定文字列が含まれている前記コンテンツ関連情報の単位時間あたりの数、または前記コンテンツ関連情報に含まれている前記特定文字列の単位時間あたりの数をカウントするフィルタ処理工程と、前記コンテンツ関連情報の単位時間あたりの数、または前記特定文字列の単位時間あたりの数を基に前記集計グラフ情報を作成する集計グラフ作成工程とを有することを特徴とする。
【００１４】
また、請求項６に記載の集計グラフ作成方法は、請求項５に記載の集計グラフ作成方法であって、前記電子掲示板サーバは、特定文字列が含まれている前記コンテンツ関連情報の単位時間あたりの数、または前記コンテンツ関連情報に含まれている特定文字列の単位時間あたりの数をカウントするフィルタ処理工程を有することを特徴とする。
【００１５】
また、請求項７に記載の集計グラフ作成方法は、請求項６に記載の集計グラフ作成方法であって、前記受信装置は、前記電子掲示板サーバがカウントした前記コンテンツ関連情報の単位時間あたりの数、または前記特定文字列の単位時間あたりの数を取得して前記集計グラフ情報を作成する集計グラフ作成工程を有することを特徴とする。
【発明の効果】
【００１６】
本発明によれば、利用者は視聴しているコンテンツの中から、多数の視聴者が興味を持った場面を、簡単な操作で探し出すことができるので、コンテンツの効率のよい視聴が可能となる。
【発明を実施するための最良の形態】
【００１７】
本発明の実施形態を、図１〜図２１を用いて説明する。
【００１８】
≪第１の実施形態≫
まず、第１の実施形態として、コンテンツ関連情報サーバによって構築される電子掲示板からコンテンツ関連情報の入手、受信装置１ａ側でコンテンツ関連情報を分析処理し、集計グラフがテレビ画面上に表示される場合を例として、図１〜図１７を用いて説明する。なお、本実施形態においては、対象となるコンテンツはテレビ番組である。
【００１９】
第１の実施形態におけるシステム全体の構成は、図１に示すように、受信装置１ａ、電子掲示板サーバ２ａ、視聴者が利用する通信端末３とから構成され、受信装置１ａと通信端末３はインターネット、ＬＡＮ等のネットワーク４を介して電子掲示板サーバ２ａに接続される。なお、有線通信網、放送衛星、通信衛星、または地上波放送を送出する通信タワーを介して番組放送、動画等（以下、コンテンツと総称する）のＡＶ（Audio and Visual）データ（以下、コンテンツと総称する）が供給されることとする。なお、本発明の受信装置１ａが通信端末３の機能を有していてもよい。
【００２０】
また、コンテンツは有料・無料を問わず、蓄積可能なものが対象となる。なお、蓄積行為が禁止されているコンテンツであっても、一時的なタイムシフトの用途が許可されていれば、タイムシフトの用途において、本発明は利用可能である。
【００２１】
受信装置１ａは、図２に示すように、再生制御部１１、ＡＶ変換部１２、操作情報受信部１３、映像出力部１４、および音声出力部１５から構成される。
【００２２】
再生制御部１１は、外部から供給されるコンテンツを受信する機能と、電子掲示板サーバ２ａに接続して、電子掲示板サーバ２ａに投稿されている投稿文を含んで構成される投稿文データ（受信装置１ａ側においては、コンテンツ関連情報と称す）を取得し集計グラフを生成する機能とを有する（詳細については後述）。
【００２３】
また、ＡＶ変換部１２は、コンテンツ制御部から供給されるコンテンツを基に、表示装置７へそのコンテンツを出力するための映像信号と音声信号を生成する機能を有する。
【００２４】
また、操作情報受信部１３は、入力装置１６から送信される視聴者の操作内容を示す操作データを受信する機能を有する。
【００２５】
また、映像出力部１４は、ＡＶ変換部１２が生成した映像信号を出力する機能を有し、音声出力部１５は、ＡＶ変換部１２が生成した音声信号を出力する機能を有する。
【００２６】
また、入力装置１６は、例えば、図３に示すリモートコントローラであり、受信装置１ａに対し利用者が情報やコマンドの入力を行うための入力デバイスである。リモートコントローラからの操作可能な処理として、コンテンツの再生や、グラフ画面内の項目選択等がある。その他の入力デバイスとしては、キーボード、マウス等がある。
【００２７】
また、再生制御部１１は、図４に示すように、コンテンツ受信部２１、コンテンツ蓄積部２２、集計グラフ作成部２３、コンテンツ関連情報蓄積部２４、時間管理部２５、および蓄積スケジューラ部２６から構成される。
【００２８】
コンテンツ受信部２１は、受信したコンテンツをＡＶ変換部１２に供給する機能と、視聴者が入力装置１６を操作することによって操作情報受信部１３から供給されるコンテンツの受信命令、または蓄積スケジューラ部２６からのコンテンツの受信命令に基づいてコンテンツを受信し、コンテンツ蓄積部２２に受信したコンテンツを供給する機能とを有する。
【００２９】
コンテンツの配信元は放送以外にも通信系で配信された番組を受信するものであっても良い。配信方式がアナログである場合は、コンテンツ受信部２１は、ＭＰＥＧ２（Moving Picture Experts Group）などの圧縮符号化方式を用いてアナログ信号からデジタルデータへの変換を行う。なお、コンテンツ蓄積部２２の入力がアナログのままを受け付ける構成の場合にはアナログからデジタルデータへの変換は特に必要なく、アナログの受信映像・音声信号を出力する方式としても良い。また、放送や通信方式がデジタルである場合には受信映像・音声信号を蓄積に適したデジタルフォーマットに変換する。
【００３０】
コンテンツ蓄積部２２は、コンテンツ受信部２１が受信するコンテンツを記録し、また記録されたコンテンツを取得し、ＡＶ変換部１２に供給する機能を有する（詳細については後述）。
【００３１】
集計グラフ作成部２３は、スレッドから取得したコンテンツ関連情報を分析し、時間の経過に伴う情報数の変化を示すグラフ画面を作成する機能を有する（詳細については後述）。
【００３２】
コンテンツ関連情報蓄積部２４は、蓄積対象としているコンテンツに関連している投稿文データを電子掲示板サーバ２ａの特定のスレッドから取得し、その投稿文データ（コンテンツ関連情報）に対してフィルタ処理を行う機能を有する（詳細については後述）。
【００３３】
時間管理部２５は、後述する再生時刻変換部３３によって生成された再生時刻情報を記憶し、集計グラフ作成部２３、およびコンテンツ関連情報蓄積部２４へ再生時刻情報を供給する機能を有する。
【００３４】
蓄積スケジューラ部２６は、視聴者が入力装置１６を操作することによって操作情報受信部１３から供給されるコンテンツの記録予約情報を記憶し、その記録予約情報に基づいて、コンテンツ受信部２１に対してコンテンツの受信情報を供給し、コンテンツ蓄積部２２に対してコンテンツ受信部２１から供給されるコンテンツの記録情報を供給する機能を有する。この記録予約命令には、チャンネル番号等のコンテンツを識別する識別子、記録開始時刻、記録終了時刻、番組名等のコンテンツ名からなる予約情報が含まれる。
【００３５】
また、蓄積スケジューラ部２６は、電子掲示板サーバ２ａへアクセスしスレッド取得の開始を指示するための制御情報であるコンテンツ関連情報取得制御情報と視聴対象コンテンツ情報をコンテンツ関連情報蓄積部２４へ供給する機能を有する。この視聴対象コンテンツ情報には放送局名、放送開始時刻、番組時間長、番組名等が含まれる。
【００３６】
また、コンテンツ蓄積部２２は、図５に示すように、書き込み処理部３１、読み出し処理部３２、再生時刻変換部３３、およびコンテンツ保存部３４から構成される。
【００３７】
書き込み処理部３１は、視聴者が入力装置１６を操作することによって操作情報受信部１３から供給されるコンテンツの記録命令、または蓄積スケジューラ部２６からのコンテンツの記録命令に基づいて、コンテンツ受信部２１から供給されるコンテンツをコンテンツ保存部３４に記録する機能を有する。
【００３８】
読み出し処理部３２は、視聴者が入力装置１６を操作することによって操作情報受信部１３から供給されるコンテンツの再生命令、または再生時刻情報に基づいて、コンテンツ受信部２１から供給されるコンテンツ、またはコンテンツ保存部３４に記録されているコンテンツを取得し、ＡＶ変換部１２に供給する機能とを有する。
【００３９】
再生時刻変換部３３は、集計グラフウィンドウに表示されている再生シークバーの位置を時刻情報に変換し、再生時刻情報を生成する機能を有する。
【００４０】
コンテンツ保存部３４は、ハードディスク装置等の記憶装置であり、書き込み処理部３１によってコンテンツが記録される。
【００４１】
また、集計グラフ作成部２３は、図６に示すように、分析処理部４１、グラフ生成部４２、座標時刻変換部４３、および分析結果保存部４４から構成される。
【００４２】
分析処理部４１は、コンテンツ関連情報蓄積部２４から単位時間内に取得したコンテンツ関連情報の件数をカウントし、その件数である集計グラフ情報を生成、コンテンツ関連情報蓄積部２４から単位時間内に取得したコンテンツ関連情報と予め設定された検出キーワードとの比較を行い、特定情報を検出し、検出した特定情報の件数をカウントし、その件数である集計グラフ情報を生成する機能を有する。
【００４３】
グラフ生成部４２は、分析結果保存部４４から分析処理部４１によって生成された集計グラフ情報を取得し、グラフの画像を生成する機能を有する。
【００４４】
座標時刻変換部４３は、選択されたグラフデータの座標情報を再生時刻情報に変換する機能を有する。
【００４５】
分析結果保存部４４は、分析処理部４１が生成した集計グラフ情報を記憶する機能を有する。
【００４６】
また、コンテンツ関連情報蓄積部２４は、図７に示すように、スレッドリスト取得処理部５１、スレッドリスト保存部５２、取得スレッド選択処理部５３、カレント取得スレッド保存部５４、コンテンツ関連情報取得処理部５５、フィルタ処理部５６、取得スレッド保存部５７、再取得判定部５８、コンテンツ関連情報参照部５９、および座標時刻変換部６０から構成される。
【００４７】
スレッドリスト取得処理部５１は、視聴対象コンテンツ情報を基に、電子掲示板サーバ２ａにアクセスして、現在登録されているスレッドリストを取得する機能を有する。
【００４８】
スレッドリスト保存部５２は、スレッドリスト取得処理部５１が取得したスレッドリストを記憶する機能を有する。
【００４９】
取得スレッド選択処理部５３は、スレッドリスト保存部５２に記録されているスレッドリストと視聴対象コンテンツ情報とから視聴対象となっているコンテンツに関係する特定のスレッドを選別する機能を有する。
【００５０】
カレント取得スレッド保存部５４は、取得スレッド選択処理部５３が選別した特定のスレッドを記憶する機能を有する。
【００５１】
コンテンツ関連情報取得処理部５５は、関係スレッドに該当するコンテンツ関連情報を電子掲示板サーバ２ａから取得する機能を有する。
【００５２】
フィルタ処理部５６は、特定の文字列を含むコンテンツ関連情報に対し、それらを除去、または別の文字列に置換する機能を有する。
【００５３】
取得スレッド保存部５７は、フィルタ処理部５６によって特定の文字列が除去または置換されたコンテンツ関連情報を記憶する機能を有する。
【００５４】
再取得判定部５８は、スレッドリスト保存部５２に記録されているスレッドリストが最新のものかどうかを判定する機能を有する。
【００５５】
コンテンツ関連情報参照部５９は、視聴対象コンテンツ情報を基に、取得スレッド保存部５７から特定の文字列が除去または置換されたコンテンツ関連情報を取得する機能を有する。
【００５６】
座標時刻変換部６０は、コンテンツ関連情報ウィンドウに表示されているコンテンツ関連情報から選択された特定のコンテンツ関連情報の座標を再生時刻情報に変換する機能を有する。
【００５７】
電子掲示板サーバ２ａは、視聴者から投稿される投稿文を放送局、番組、放送日、放送時刻等の情報と共に、例えば図８に示すようなデータ項目を有する形式で投稿文データとして記録し、投稿された投稿文を電子掲示板として公開するためのＨＴＭＬファイルを生成する機能、投稿文データに対して投稿された時刻を付加する機能を有する。電子掲示板サーバ２ａは、例えば、放送局、番組、放送日、放送時刻等を基に、スレッドを区別して投稿文データを記録する。
【００５８】
放送されるコンテンツの進行と共にリアルタイムに投稿文がアップロードされる場合には、投稿された時刻の正確性を保つために電子掲示板サーバ２ａで時刻を付加し、投稿された時刻以外の情報は、通信端末３から投稿文と共にアップロードされるようにしても良いが、通信端末３から投稿文と共に時刻を含む情報もあわせてアップロードされるようにしても良い。また、一旦記録されたコンテンツを視聴しながらの投稿文のアップロードを受け付ける場合には（コンテンツを視聴している時間帯が異なる）、通信端末３から投稿文と共にその時刻も含めてアップロードされることとする。
【００５９】
この電子掲示板サーバ２ａは、ネットワーク４を経由したコミュニケーション手段としてインターネット上に電子掲示板サイトを構築し、その電子掲示板サイトでコンテンツに関する情報交換が行われる。特に本発明では、視聴者がコンテンツ内容の感想を述べ合うことを目的とした電子掲示板サイトが構築されている。また、この電子掲示板サーバ２ａの蓄積領域は細分化され、特定の話題を中心に視聴者からの投稿が寄せられる蓄積領域、いわゆるスレッドが多数存在する。これらのスレッドに対し、視聴者はコンテンツ（放送番組）を視聴しながら、視聴者から投稿文の投稿（アップロード）が行われる。以降、「スレッド」と言った場合には、この蓄積領域、または蓄積領域を区別して指し示す情報を意味することとする。
【００６０】
視聴中のコンテンツに関するスレッドに対しては、視聴者が興味を引いたシーンを視聴した直後に、数多くの投稿がされることになる。特に、スレッドに投稿されるさまざまな投稿文の中には、シーンチェンジを示すような記述が数多く見られる。例えば、新しい人物の登場があった場合などには、そのシーンチェンジを表現する記述がある投稿文が投稿される。そのシーンチェンジを示すような記述はその時々の流行により、多少の変遷は予測されるものの、ある共通のシーンチェンジ文字列が用いられる。以降、この文字列を含む情報をシーンチェンジ記述情報と称す。
【００６１】
図８に示す投稿文を記録する投稿文データは、掲示板の題目を区別する情報として放送局、番組、放送日、放送時刻のデータ項目を有し、さらに個々の投稿文を記録するため投稿番号、投稿時刻、発言者、投稿文のデータ項目を有している。また投稿文を電子掲示板として公開するためのＨＴＭＬファイルも掲示板の題目を区別する情報として放送局、番組、放送日、放送時刻のデータが記述され、さらに個々の投稿文を記録するため投稿番号、投稿時刻、発言者、投稿文のデータが記述される。
【００６２】
なお、図８の投稿文データは、一例としてＸＭＬ形式で表記されたものが示されているが、特にこれに限定するものではなく、また、通信端末３と電子掲示板サーバ２ａ間の通信は、ＸＭＬではなくＨＴＭＬでも良いし、通信端末３のアプリケーションが本発明に対応した専用のものであれば、独自のフォーマットでも良い。また、電子掲示板サーバ２ａ内に投稿文を記録する際のそのデータの記録方式は、図８に示すＸＭＬ形式ではなく、独自のデータベースフォーマットであっても良い。
【００６３】
また、通信端末３は、キーボードやマウス等の入力装置１６を備え、またネットワーク４に接続する通信装置を備える。また、通信端末３は、Ｗｅｂブラウザ等の通信機能を有するアプリケーションソフトを実行可能であり、視聴者は、このアプリケーションソフトを利用して電子掲示板サーバ２ａの特定のスレッドに対して投稿文を投稿（アップロード）する。
【００６４】
視聴者はコンテンツを視聴しながら、通信端末３から電子掲示板サーバ２ａへの投稿を行うが、コンテンツの進行に追従して可能な限り素早い投稿であることが望ましい。そのためには、使用頻度の高い文字列やシーンチェンジを示すような文字列は予め単語登録しておく。
【００６５】
なお、受信装置１−電子掲示板サーバ２間の諸データの送受信は、ＨＴＴＰやＦＴＰ等のファイル転送プロトコルの規約に基づいて行われることとし、諸データは所定のファイル形式またはメッセージヘッダに挿入されて送受信されるが、特にこの方式に限定されるものではない。また、通信端末３−電子掲示板サーバ２間の諸データの送受信についても、同様にファイル転送プロトコルの規約に基づいて行われることとし、諸データは所定のファイル形式またはメッセージヘッダに挿入されて送受信されるが、特にこの方式に限定されるものではない。
【００６６】
以上、電子掲示板サーバ２については既存の電子掲示板システムを例に示したが、この電子掲示板サーバ２は受信装置１と連動させることを目的として設置された専用のコンテンツ関連情報を提供するサーバであっても良い。また、小規模のグループ内のコミュニケーションを目的としたサーバであっても良い。
【００６７】
また、コンテンツ関連情報の中には一般視聴者以外にも、コンテンツを配信する側の情報が含まれていても良い。これら受信装置１と連携させることを目的として設置される専用のコンテンツ関連情報を提供するサーバの場合は、あらかじめ登録されるコンテンツ関連情報のデータ形式を統一することにより、一層、精度の高いコンテンツ関連情報の分析処理が実現できる。
【００６８】
次に、受信装置１ａの動作の概要について説明する。
【００６９】
通常、コンテンツ受信部２１は、配信されるコンテンツを受信し、その受信したコンテンツをコンテンツ蓄積部２２に供給する。コンテンツ蓄積部２２は、その内部にあるコンテンツ保存部３４にコンテンツを記録する。ここで、コンテンツ受信部２１の制御は、利用者のリモートコントローラ（入力装置１６）によるマニュアル操作、あるいは自動蓄積実現のための蓄積スケジューラ部２６からの制御によって行われる。
【００７０】
一方、コンテンツ関連情報蓄積部２４は、コンテンツ蓄積部２２へ蓄積対象としているコンテンツに関連している投稿文データ（コンテンツ関連情報）を、電子掲示板サーバ２ａの特定のスレッドから自動的に取得する。なお、コンテンツをコンテンツ蓄積部２２に蓄積するいかんにかかわらず、リモートコントローラ（入力装置１６）からのマニュアル操作で、コンテンツ関連情報蓄積部２４が電子掲示板サーバ２ａの特定のスレッドをアクセスするようにしても良い。
【００７１】
コンテンツ関連情報蓄積部２４は、電子掲示板サーバ２ａから取得された投稿文データをコンテンツ関連情報として表示するための画面情報を作成し、さらに集計グラフ作成部２３は、コンテンツ関連情報を分析し、集計グラフを表示するための情報を作成する。これら作成された複数の情報を基に、ＡＶ変換部１２は映像信号を生成する。その映像信号は、映像出力部１４および音声出力部１５を介して出力され、利用者はコンテンツ、ならびに連動したコンテンツ関連情報を視聴することが可能となる。
【００７２】
ＡＶ変換部１２は、コンテンツ蓄積部２２、集計グラフ作成部２３、コンテンツ関連情報蓄積部２４、コンテンツ受信部２１などからの画像を合成し、映像出力部１４へ、また付随する音声は音声出力部１５へ出力するが、その時の映像出力部１４から表示装置７へ出力される出力画面例を図９に示す。
【００７３】
出力画面は、図９に示すように、複数のウィンドウ、再生ウィンドウ（図９中、（Ａ）部）、コンテンツ関連情報ウィンドウ（図９中、（Ｂ）部）、集計グラフウィンドウ（図９中、（Ｃ）部）から構成される。なお、図９の各ウィンドウのレイアウトは一例であり、他のレイアウトであってもかまわない。また、各ウィンドウは、個別に表示したり、消したりすることが可能であっても良い。更に、いずれか１つのウィンドウに対し、図１０に示すように、フルスクリーン表示しても良い。フルスクリーン表示とした場合、コンテンツ関連情報ウィンドウと集計グラフウィンドウの表示は見えなくなる。この時、図１０に示すように、フルスクリーンにした再生ウィンドウでは、再生位置の指定を行う再生シークバー（図９中、（Ｄ）部）は画面内から消去し、番組内容が全画面に表示されるようにしても良い。
【００７４】
再生ウィンドウは、リアルタイムで受信中のコンテンツそのもの、あるいは受信装置１ａに蓄積されたコンテンツそのものを再生表示するウィンドウである。このウィンドウの映像はコンテンツ受信部２１、もしくはコンテンツ蓄積部２２から供給される。
【００７５】
すなわち、リアルタイム配信中のコンテンツを受信している場合はコンテンツ受信部２１、もしくはコンテンツ蓄積部２２経由の映像を使用し、受信装置１ａに蓄積されているコンテンツを再生する場合はコンテンツ蓄積部２２からの映像を使用する。
【００７６】
また、再生ウィンドウには再生シークバーが表示される。この再生シークバーは、現在の再生位置を、再生中の蓄積番組全体対する割合で示す。利用者はこの再生シークバーをリモートコントローラ（入力装置１６）から直接操作することにより、蓄積番組中の任意の位置からの再生を開始することが可能である。図９の画面例では、再生シークバーを再生ウィンドウの底部に表示している。なお、再生ウィンドウ内の左上時刻の表示は、他のウィンドウとの時間上の同期関係を解説的に表示したに過ぎず、実際の画面では特に表示される必要はない。
【００７７】
また、コンテンツ関連情報ウィンドウは、ある時刻近辺のコンテンツ関連情報を表示する。このウィンドウ画像は、コンテンツ関連情報蓄積部２４によって生成され、視聴中の番組名、あるいは放送局名、あるいは関連しているスレッドの名称等があわせて表示される。また、コンテンツ関連情報ウィンドウは、指定された時刻に関するコンテンツ関連情報を表示する。なお、画面の端には画面上下の移動が可能なスクロールバーが表示され、画面内に表示されていない部分のコンテンツ関連情報も上下にスクロールして表示ができるようになっている。
【００７８】
集計グラフウィンドウは、コンテンツ関連情報の数の時間的推移を表示するウィンドウである。そのため集計グラフウィンドウの２つの軸は、それぞれ件数と時間を示す。図９においては、縦軸には件数、横軸に時間を示している。この集計グラフウィンドウは、集計グラフ作成部２３によって生成され、利用者はコンテンツ関連情報の数の時間的推移を知ることができる。時間軸の表示単位は任意であるが、その最小単位は電子掲示板サーバ２ａで各コンテンツ関連情報に付けられる時刻の単位、例えば『分』としても良い。
【００７９】
また、集計グラフウィンドウに表示される件数を示す軸は、コンテンツの人気度、あるいはネットワーク４の状況などによって件数が大きく変化することもあるため、集計値の最大値に合わせて自動的に拡大・縮小させて表示させる。このため、通常の件数より件数が多くなった場合でもデータが集計グラフウィンドウから外にはみ出てしまうことはない。また、グラフ表示については拡大、縮小機能があっても良い。
【００８０】
また、図１１（ａ）〜（ｃ）は、集計グラフ作成部２３によって作成される集計グラフの一例である。各図で横軸は時間、縦軸は単位時間あたりの情報登録数、または特定情報登録数を示している。グラフの表示形態としては図９に示す集計グラフウィンドウのように、件数を表示すると共に、グラフデータを高い分解能で表示させても良い。また、図１１（ａ）のように件数をある範囲で区切り、いくつかの段階に分類し、それを星印などのマークを用い、５段階評価として表示しても良い。この表示方法では利用者は星の数でおおまかな分析結果を知ることができる。
【００８１】
例えば、マウスのように選択カーソルを画面内において自由に移動できるような場合は、カーソルの移動で任意の時刻を選択することができる。一方、キーボードやリモートコントローラ（入力装置１６）のように上下左右といった限定された方向へしか移動できない場合は、図１１（ｂ）、図１１（ｃ）に示すように選択時刻をハイライト、もしくは選択枠を表示させ、選択時刻が利用者に分かるように表示する。
【００８２】
更に、図９に示す閾値表示ライン（図９中の点線）や図１１（ａ）の閾値表示ライン（図１１中の点線）を集計グラフ内に示し、他と比較し、情報件数の多い時刻に対し使用者の注目が集中しやすくするようにしても良い。なお、この閾値表示ラインは、情報登録数または特定情報登録数を基に、例えば、前後の一定時間の平均、あるいは番組単位の平均等を集計グラフ作成部２３で演算して表示する。
【００８３】
次に、コンテンツ蓄積部２２の動作について説明する。
【００８４】
図５に示すコンテンツ蓄積部２２では番組の蓄積処理、および蓄積された番組の再生処理を行う。自動蓄積時には、コンテンツ蓄積部２２の書き込み処理部３１は、蓄積スケジューラ部２６によって指定されるコンテンツ、例えば、事前に予約されたスケジュールに基づいて受信されたコンテンツ、または事前に指定していた条件と一致するコンテンツを、コンテンツ保存部３４に記録する。また、マニュアル操作時には、リモートコントローラ（入力装置１６）からの操作に従って、書き込み処理部３１は、コンテンツの記録の開始と停止を行う。
【００８５】
一方、リアルタイム受信時には、書き込み処理部３１は、利用者が受信したコンテンツをさかのぼって再生を行うことができるタイムシフト視聴、いわゆる追いかけ再生が可能なように、受信中の番組をコンテンツ保存部３４に記録しつつ、読み出し処理部３２にコンテンツを供給する。読み出し処理部３２に供給されたコンテンツはＡＶ変換部１２にそのまま供給される。これは、記録と平行して再生を行う処理である。従って、コンテンツ保存部３４は、記録型ＤＶＤやハードディスク等、ランダムアクセス可能な記録装置であることが望ましい。
【００８６】
また、タイムシフト視聴を含め、コンテンツ再生時には、コンテンツ蓄積部２２の読み出し処理部３２は、コンテンツ保存部３４から記録されているコンテンツ（映像・音声データ）を読み出し、読み出したコンテンツをＡＶ変換部１２へ供給する。
【００８７】
また、再生時刻変換部３３が集計グラフウィンドウに表示されている再生シークバーの位置を時刻情報に変換し、コンテンツの再生位置を示す再生時刻情報を生成、読み出し処理部３２に供給すると、読み出し処理部３２は、再生時刻情報に指定された時刻（再生位置）からのコンテンツを取得してＡＶ変換部１２へ供給する。
【００８８】
なお、コンテンツ保存部３４はランダムアクセス可能な記録装置であることが望ましいが、タイムシフト視聴を行わない場合には、蓄積番組の途中から再生が可能な記録装置、例えば、ＶＴＲなど、シーケンシャルアクセス可能な記録装置であっても良い。
【００８９】
また、再生時刻情報を受け取った時間管理部２５は、集計グラフ作成部２３、およびコンテンツ関連情報蓄積部２４へ再生時刻情報を供給する。再生時刻情報が供給されると、集計グラフ作成部２３は、再生時刻を含む時間帯における集計グラフを集計グラフウィンドウ内に表示させるための集計グラフ情報を生成する。また、コンテンツ関連情報蓄積部２４は、再生時刻におけるコンテンツ関連情報をコンテンツ関連情報ウィンドウ内に表示させるためのコンテンツ関連情報を取得する。
【００９０】
次に、集計グラフ作成部２３の動作について説明する。
【００９１】
図６に示す集計グラフ作成部２３では、スレッドから取得したコンテンツ関連情報を分析し、時間の経過に伴う情報数の変化をグラフ表示するための集計グラフ情報が生成される。
【００９２】
集計グラフ作成部２３の分析処理部４１は、コンテンツ関連情報蓄積部２４からコンテンツ関連情報を取得すると、取得したコンテンツ関連情報を分析した結果である集計グラフ情報を生成し、分析結果保存部４４に記録する。
【００９３】
グラフ生成部４２は、分析結果保存部４４に記録されている集計グラフ情報を参照し、グラフを作成、集計グラフ画像としてＡＶ変換部１２へ供給する。
【００９４】
なお、分析処理部４１で生成される集計グラフ情報とは、一定時間間隔あたりのコンテンツ関連情報の数である情報登録数、あるいはコンテンツ関連情報を更に特定の条件でフィルタリングしてカウントした特定情報登録数が記録された情報である。
【００９５】
以下に、分析処理部４１が行うコンテンツ関連情報の分析処理について、図１２、および図１３のフローチャートを用いて詳細に説明する。まず、集計グラフ情報が、一定時間間隔あたりのコンテンツ関連情報の数である情報登録数が記録された情報である場合について、図１２のフローチャートを用いて説明する。
【００９６】
まず、分析処理部４１は、コンテンツ関連情報を分析する期間を設定する（ステップＳ０１）。この分析する期間とは、例えば、視聴中のコンテンツの放送開始時刻から終了時刻までであり、また、途中から再生する場合は、その再生開始位置の時刻から終了時刻までとなる。次に、分析処理部４１は、分析する期間の先頭から単位時間中におけるスレッドへ登録されたコンテンツ関連情報をコンテンツ関連情報蓄積部２４から取得する（ステップＳ０２）。このとき単位時間は、例えば、１分とする。
【００９７】
次に、分析処理部４１は、ステップＳ０２で取得したコンテンツ関連情報の件数をカウントし、カウントした件数を集計グラフ情報として分析結果保存部４４へ記録する（ステップＳ０３）。次に、分析処理部４１は、ステップＳ０１で設定された分析期間が終了したか判定し（ステップＳ０４）、終了した場合は、処理を終え、終了していない場合はステップＳ０２からの処理に移行して上述の処理を繰り返す。
【００９８】
次に、集計グラフ情報が、コンテンツ関連情報を更に特定の条件でフィルタリングしてカウントした特定情報登録数が記録された情報である場合について、図１３のフローチャートを用いて説明する。
【００９９】
特定情報登録数としては、一例として、シーンチェンジ記述情報数がある。シーンチェンジ記述情報数とは、スレッドに投稿された投稿文のうち、シーンチェンジを示す記述をカウントした数である。
【０１００】
まず、分析処理部４１は、コンテンツ関連情報を分析する期間を設定する（ステップＳ１１）。この分析する期間とは、例えば、視聴中のコンテンツの放送開始時刻から終了時刻までである。次に、分析処理部４１は、分析する期間の先頭から単位時間中におけるスレッドへ登録されたコンテンツ関連情報をコンテンツ関連情報蓄積部２４から取得する（ステップＳ１２）。このとき単位時間は、例えば、１分とする。
【０１０１】
次に、分析処理部４１は、取得したコンテンツ関連情報と予め設定された検出キーワードとの比較を行い、特定情報を検出する（ステップＳ１３）。特定情報をシーンチェンジ記述情報とする場合は、シーンチェンジを示し、高い頻度で用いられるいくつかの文字列を検出キーワードとする。
【０１０２】
次に、分析処理部４１は、ステップＳ１３で検出した特定情報の件数をカウントし、カウントした件数を集計グラフ情報として分析結果保存部４４へ記録する（ステップＳ１４）。次に、分析処理部４１は、ステップＳ０１で設定された分析期間が終了したか判定し（ステップＳ１５）、終了した場合は、処理を終え、終了していない場合はステップＳ１２からの処理に移行して上述の処理を繰り返す。
【０１０３】
グラフ生成部４２は、分析結果保存部４４からこのようにして生成された集計グラフ情報を取得し、集計グラフ画像を生成してＡＶ変換部１２へ供給し、図１１に示すようなグラフが集計グラフウィンドウに表示される。
【０１０４】
また、集計グラフウィンドウは単なるグラフの表示にとどまらず、リモートコントローラ（入力装置１６）によって特定のグラフデータを選択する操作が可能である。視聴者がリモートコントローラ（入力装置１６）で特定のグラフデータを選択すると、その選択されたグラフデータの座標情報が操作情報受信部１３から座標時刻変換部４３に供給され、座標時刻変換部４３は、その座標情報を再生時刻情報に変換し、時間管理部２５へ供給する。
【０１０５】
この再生時刻情報を受け取った時間管理部２５は、コンテンツ蓄積部２２、およびコンテンツ関連情報蓄積部２４へ再生時刻情報を供給する。再生ウィンドウが表示されていない場合は、コンテンツ蓄積部２２は、再生時刻情報に指定された時刻（再生位置）からコンテンツの再生を行い、再生ウィンドウに表示する。
【０１０６】
また、コンテンツ関連情報ウィンドウが表示されていない場合は、コンテンツ関連情報蓄積部２４は、再生時刻におけるコンテンツ関連情報をコンテンツ関連情報ウィンドウ内に表示する。
【０１０７】
なお、再生時刻情報は画面上のグラフデータを選択した位置の座標から変換して算出されるが、そのままの単純な変換で時間分解能が細かくなりすぎる場合は、集計グラフの時間方向の精度に合わせてデータを丸めてもよい。例えば、時間軸の最小分解能が分単位のデータである場合は時間軸の最小単位は『秒』ではなく、『分』に合わせてもよい。
【０１０８】
また、コンテンツの進行と共に、再生位置が現在の集計グラフより先の時刻になったことは、グラフ生成部４２が再生時刻情報を参照することで検出する。この場合は、現在の再生時刻情報が含まれる時間帯の集計結果を分析結果保存部４４より再度取得、グラフを生成し、集計グラフウィンドウを時間方向に自動スクロールして、現在の再生位置のグラフが画面内に現れるように再表示する。また、再生停止の操作があった場合には、コンテンツ蓄積部２２での再生も停止させる。
【０１０９】
次に、コンテンツ関連情報蓄積部２４の動作について説明する。
【０１１０】
コンテンツ関連情報蓄積部２４の動作は、リアルタイムで番組を視聴するリアルタイム番組視聴時の動作と、蓄積スケジューラ部２６による自動蓄積処理時の動作と、既にコンテンツ蓄積部２２内に蓄積してある番組を視聴する蓄積視聴処理時の動作とに分けられる。以下にそれぞれの動作について、図１４〜図１７を用いて説明する。
【０１１１】
利用者がコンテンツを視聴しつつコンテンツ関連情報も閲覧する、リアルタイム番組視聴時の動作について、図１４および図１５を用いて説明する。
【０１１２】
コンテンツ関連情報蓄積部２４は、蓄積スケジューラ部２６からコンテンツ関連情報取得制御情報が供給されると、電子掲示板サーバ２ａからスレッドを取得する処理を開始する。
【０１１３】
スレッドリスト取得処理部５１は、蓄積スケジューラ部２６からコンテンツ関連情報取得制御情報が供給されると、蓄積スケジューラ部２６から視聴対象コンテンツ情報を取得する（ステップＳ２１）。
【０１１４】
次に、スレッドリスト取得処理部５１は、取得した視聴対象コンテンツ情報を基に、電子掲示板サーバ２ａにアクセスして、現在登録されているスレッドリストを取得し、スレッドリスト保存部５２に記録する（ステップＳ２２）。電子掲示板サーバ２ａには、放送局単位等、予め定められた分類でスレッドリストが用意されている。
【０１１５】
次に、取得スレッド選択処理部５３は、スレッドリスト保存部５２に記録されているスレッドリストと視聴対象コンテンツ情報とから視聴対象となっているコンテンツに関係する特定のスレッドを選別し、その選別されたスレッドを関係スレッドとしてカレント取得スレッド保存部５４に記録する（ステップＳ２３）。
【０１１６】
コンテンツ関連情報取得処理部５５は、蓄積スケジューラ部２６からコンテンツ関連情報取得制御情報が供給され、カレント取得スレッド保存部５４から関係スレッドを取得すると、その関係スレッドに該当するコンテンツ関連情報を電子掲示板サーバ２ａから取得（ステップＳ２４）、フィルタ処理部５６にそのコンテンツ関連情報を供給する。そして、フィルタ処理部５６は、取得したコンテンツ関連情報に対してフィルタ処理を行い、処理結果を取得スレッド保存部５７へ記録する（ステップＳ２５）。この時、フィルタ処理部５６は、特定の文字列を含むコンテンツ関連情報に対し、それらを除去、または別の文字列に置換する処理を行い、処理結果として、特定の文字列が除去または置換されたコンテンツ関連情報を記録する。
【０１１７】
また、コンテンツ関連情報取得処理部５５は、内部で時間経過を監視し、所定の時間経過したかどうかを判定する（ステップＳ２６）。所定の時間経過した場合は、ステップＳ２４の処理に移行して同様の処理を繰り返す。また、所定の時間経過していない場合は、再取得判定部５８は、スレッドリスト保存部５２に記録されているスレッドリストが最新のものかどうかを判定し（ステップＳ２７）、古い情報であると判定した場合には、ステップＳ２２の処理に移行する。ここでスレッドリスト保存部５２に記録されているスレッドリストが古い情報かどうかの判定は、取得スレッド保存部５７に記録される情報量がひとつのスレッドに登録可能な最大情報量に近づくか、または超えたかどうか、あるいは前回のスレッド取得の時刻からの経過時間等で行う。
【０１１８】
また、古い情報でないと判定した場合には、再取得判定部５８は、コンテンツの視聴が終了したかどうかを判定し（ステップＳ２８）、終了していない場合はステップＳ２６の処理に移行し、コンテンツの視聴が終了した場合は処理終了となる。
【０１１９】
一方、コンテンツ関連情報参照部５９は、蓄積スケジューラ部２６からコンテンツ関連情報取得制御情報が供給され、蓄積スケジューラ部２６から視聴対象コンテンツ情報を取得すると（ステップＳ３１）、取得した視聴対象コンテンツ情報に該当するコンテンツ関連情報を取得スレッド保存部５７から取得する（ステップＳ３２）。このコンテンツ関連情報は、特定の文字列が除去または置換されたコンテンツ関連情報である。
【０１２０】
次に、コンテンツ関連情報参照部５９は、取得スレッド保存部５７から取得したコンテンツ関連情報を基にコンテンツ関連情報ウィンドウの画像を生成しＡＶ変換部１２に供給する（ステップＳ３３）。コンテンツ関連情報ウィンドウはＡＶ変換部１２によって表示される。また、コンテンツ関連情報参照部５９は、内部で時間経過を監視し、所定の時間経過したかどうかを判定する（ステップＳ３４）。所定の時間経過した場合は、ステップＳ３２の処理に移行して同様の処理を繰り返す。
【０１２１】
この所定の時間は、例えば１分とし、再生ウィンドウの画面に同期してコンテンツ関連情報を表示させる。また、この所定の時間についてはステップＳ２６とステップＳ３４で同一とし、スレッドより取得したコンテンツ関連情報を早いレスポンスで表示させるようにしても良い。
【０１２２】
コンテンツ関連情報参照部５９は、コンテンツの視聴が終了したかどうかを判定し（ステップＳ３５）、終了していない場合はステップＳ３４の処理に移行し、コンテンツの視聴が終了した場合は処理終了となる。
【０１２３】
なお、視聴者がコンテンツの視聴途中において選局を行った場合は、ステップＳ３１から再度実行し、新たな視聴対象コンテンツ情報を取得することにより、参照するスレッドも自動的に切換る。
【０１２４】
留守禄のように受信装置１ａが自動的に蓄積を行う自動蓄積時の動作について、図１６を用いて説明する。
【０１２５】
この処理は自動蓄積期間中、あるいは自動蓄積後に行われる。コンテンツ関連情報蓄積部２４は、蓄積スケジューラ部２６からコンテンツ関連情報取得制御情報が供給されると、電子掲示板サーバ２ａからスレッドを取得する処理を開始する。
【０１２６】
スレッドリスト取得処理部５１は、蓄積スケジューラ部２６からコンテンツ関連情報取得制御情報が供給されると、蓄積スケジューラ部２６から視聴対象コンテンツ情報を取得する（ステップＳ４１）。  次に、スレッドリスト取得処理部５１は、取得した視聴対象コンテンツ情報を基に、電子掲示板サーバ２ａにアクセスして、現在登録されているスレッドリストを取得し、スレッドリスト保存部５２に記録する（ステップＳ４２）。電子掲示板サーバ２ａには、放送局単位等、予め定められた分類でスレッドリストが用意されている。
【０１２７】
次に、取得スレッド選択処理部５３は、スレッドリスト保存部５２に記録されているスレッドリストと視聴対象コンテンツ情報とから視聴対象となっているコンテンツに関係する特定のスレッドを選別し、その選別されたスレッドを関係スレッドとしてカレント取得スレッド保存部５４に記録する（ステップＳ４３）。
【０１２８】
コンテンツ関連情報取得処理部５５は、蓄積スケジューラ部２６からコンテンツ関連情報取得制御情報が供給され、カレント取得スレッド保存部５４から関係スレッドを取得すると、その関係スレッドに該当するコンテンツ関連情報を電子掲示板サーバ２ａから取得（ステップＳ４４）、フィルタ処理部５６にそのコンテンツ関連情報を供給する。そして、フィルタ処理部５６は、取得したコンテンツ関連情報に対してフィルタ処理を行い、処理結果を取得スレッド保存部５７へ記録する（ステップＳ４５）。この時、フィルタ処理部５６は、特定の文字列を含むコンテンツ関連情報に対し、それらを除去、または別の文字列に置換する処理を行い、処理結果として、特定の文字列が除去または置換されたコンテンツ関連情報を記録する。
【０１２９】
次に、再取得判定部５８は、スレッドリスト保存部５２に記録されているスレッドリストが最新のものかどうかを判定し（ステップＳ４６）、古い情報であると判定した場合には、ステップＳ４２の処理に移行する。ここでスレッドリスト保存部５２に記録されているスレッドリストが古い情報かどうかの判定は、取得スレッド保存部５７に記録される情報量がひとつのスレッドに登録可能な最大情報量に近づくか、または超えたかどうか、あるいは前回のスレッド取得の時刻からの経過時間等で行う。
【０１３０】
また、古い情報でないと判定した場合には、再取得判定部５８は、コンテンツの視聴が終了したかどうかを判定し（ステップＳ４７）、終了していない場合はステップＳ４６の処理に移行し、コンテンツの視聴が終了した場合は処理終了となる。
【０１３１】
利用者が既に受信装置１ａに蓄積済みの番組をコンテンツ関連情報と共に視聴する蓄積再生時の動作について、図１７を用いて説明する。
【０１３２】
コンテンツ関連情報参照部５９は、蓄積スケジューラ部２６からコンテンツ関連情報取得制御情報が供給され、蓄積スケジューラ部２６から視聴対象コンテンツ情報を取得すると（ステップＳ５１）、取得した視聴対象コンテンツ情報に該当するコンテンツ関連情報を取得スレッド保存部５７から取得する（ステップＳ５２）。このコンテンツ関連情報は、特定の文字列が除去または置換されたコンテンツ関連情報である。
【０１３３】
次に、コンテンツ関連情報参照部５９は、取得スレッド保存部５７から取得したコンテンツ関連情報を基にコンテンツ関連情報ウィンドウの画像を生成しＡＶ変換部１２に供給する（ステップＳ５３）。コンテンツ関連情報ウィンドウはＡＶ変換部１２によって表示される。また、コンテンツ関連情報参照部５９は、内部で時間経過を監視し、所定の時間経過したかどうかを判定する（ステップＳ５４）。所定の時間経過した場合は、ステップＳ５２の処理に移行して同様の処理を繰り返す。
【０１３４】
この所定の時間は、例えば１分とし、再生ウィンドウの画面に同期してコンテンツ関連情報を表示させる。
【０１３５】
コンテンツ関連情報参照部５９は、コンテンツの再生が終了したかどうかを判定し（ステップＳ５５）、終了していない場合はステップＳ５４の処理に移行し、コンテンツの視聴が終了した場合は処理終了となる。
【０１３６】
また、コンテンツ関連情報ウィンドウはコンテンツ関連情報の表示にとどまらず、リモートコントローラ（入力装置１６）によって特定のコンテンツ関連情報を選択することができる。座標時刻変換部６０は、その選択されたコンテンツ関連情報の座標を再生時刻情報に変換する。
【０１３７】
座標時刻変換部６０は、変換した再生時刻情報を時間管理部２５へ供給する。この再生時刻情報が供給されると、時間管理部２５は、コンテンツ蓄積部２２および集計グラフ作成部２３へ再生時刻情報を供給する。
【０１３８】
次に、ＡＶ変換部１２は、再生ウィンドウが表示されていない場合は、再生ウィンドウを新たに表示させ、コンテンツ蓄積部２２は、再生時刻情報に指定された位置からコンテンツの再生を実行する。また、ＡＶ変換部１２は、集計グラフウィンドウが表示されていない場合、集計グラフウィンドウを新たに表示させ、集計グラフ作成部２３は、再生時刻を含む時間帯における集計グラフの画像を生成する。
【０１３９】
時間管理部２５では再生時間の管理を行う。時間管理部２５は、コンテンツ蓄積部２２、集計グラフ作成部２３、コンテンツ関連情報蓄積部２４相互の再生時刻を管理している時計を有し、再生時刻情報の入出力を行う。
【０１４０】
すなわち、コンテンツ蓄積部２２、集計グラフ作成部２３、コンテンツ関連情報蓄積部２４のいずれかのブロックから再生要求があった場合には、再生開始時刻を含む再生時刻情報を他の２つのブロックへ供給する。同様に停止、一時停止、早送り、巻き戻しなどの再生制御要求があった場合にも、再生制御情報を他の２つのブロックへ供給する。
【０１４１】
なお、再生時刻はコンテンツが放送局などから送出された絶対時刻ではなく、コンテンツの先頭からの経過時刻、すなわち相対時刻とし、その相対時刻からコンテンツの再生位置を特定する。
【０１４２】
≪第２の実施形態≫
第２の実施形態として、電子掲示板サーバ２ｂがコンテンツ関連情報から集計グラフ情報を生成する電子掲示板分析保存部６１部を備え、受信装置１ｂが集計グラフ情報を電子掲示板サーバ２ｂから取得し、受信装置１ｂはコンテンツ関連情報の分析が不要である例を示す。
【０１４３】
この第２の実施形態では、受信装置１ｂは、電子掲示板サーバ２ｂから分析結果である集計グラフ情報を取得し、集計グラフウィンドウに表示させる処理を行う。第１の実施形態と比較すると、電子掲示板サーバ２ｂ、集計グラフ作成部２３、ならびにコンテンツ関連情報蓄積部２４での処理が異なり、他は同様の動作を行う。そのため、以下に第１の実施形態との違いについてのみ説明する。
【０１４４】
電子掲示板サーバ２ｂは、図１８に示すように、投稿文の蓄積経過をグラフデータ化する電子掲示板分析保存部６１が追加されている。電子掲示板サーバ２ｂの電子掲示板分析保存部６１は、スレッドを随時分析し、その結果を集計グラフ情報として電子掲示板分析保存部６１内に記録する。この分析結果は、第１の実施形態と同様に、スレッドに登録される単位時間あたりのコンテンツ関連情報登録数や、単位時間あたりのシーンチェンジ記述情報数などである。
【０１４５】
電子掲示板分析保存部６１は、ネットワーク４を介して受信装置１ｂからのリクエストを受信すると、分析結果を受信装置１ｂへ送信する。そのため、受信装置１ｂ側ではコンテンツ関連情報を分析する必要はなく、表示処理のみで良い。なお、電子掲示板分析保存部６１は電子掲示板サーバ２ｂ内部に存在する必要は無く、電子掲示板サーバ２ｂとは異なる別の集計サーバで実現しても良い。
【０１４６】
また、受信装置１ｂの集計グラフ作成部２３は、電子掲示板サーバ２ｂの電子掲示板分析保存部６１からコンテンツ関連情報蓄積部２４が取得した集計グラフ情報から、時間の経過に伴う情報数の変化を表示するための集計グラフ画像を生成する。以下に集計グラフ画像生成までの概要について説明すると、まず、集計グラフ作成部２３は、集計グラフ情報をコンテンツ関連情報蓄積部２４から取得し、分析結果保存部４４に記録する。グラフ生成部４２は、分析結果保存部４４に記録されている集計グラフ情報を参照し、グラフを作成、集計グラフ画像としてＡＶ変換部１２へ供給する。
【０１４７】
また、コンテンツ関連情報蓄積部２４の動作は、リアルタイムで番組を視聴するリアルタイム番組視聴時の動作と、蓄積スケジューラ部２６による自動蓄積処理時の動作と、既にコンテンツ蓄積部２２内に蓄積してある番組を視聴する蓄積視聴処理時の動作とに分けられるが、リアルタイム番組視聴時と自動蓄積処理時における動作が、第１の実施形態と一部動作が異なり、他は同一である。そのため、異なる処理についてのみ説明する。
【０１４８】
利用者がコンテンツを視聴しつつコンテンツ関連情報も閲覧する、リアルタイム番組視聴時の動作について、図１９および図２０を用いて説明する。
【０１４９】
コンテンツ関連情報蓄積部２４は、蓄積スケジューラ部２６からコンテンツ関連情報取得制御情報が供給されると、電子掲示板サーバ２ｂからスレッドを取得する処理を開始する。
【０１５０】
スレッドリスト取得処理部５１は、蓄積スケジューラ部２６からコンテンツ関連情報取得制御情報が供給されると、蓄積スケジューラ部２６から視聴対象コンテンツ情報を取得する（ステップＳ６１）。
【０１５１】
次に、スレッドリスト取得処理部５１は、取得した視聴対象コンテンツ情報を基に、電子掲示板サーバ２ｂにアクセスして、現在登録されているスレッドリストを取得し、スレッドリスト保存部５２に記録する（ステップＳ６２）。電子掲示板サーバ２ｂには、放送局単位等、予め定められた分類でスレッドリストが用意されている。
【０１５２】
次に、取得スレッド選択処理部５３は、スレッドリスト保存部５２に記録されているスレッドリストと視聴対象コンテンツ情報とから視聴対象となっているコンテンツに関係する特定のスレッドを選別し、その選別されたスレッドを関係スレッドとしてカレント取得スレッド保存部５４に記録する（ステップＳ６３）。
【０１５３】
コンテンツ関連情報取得処理部５５は、蓄積スケジューラ部２６からコンテンツ関連情報取得制御情報が供給され、カレント取得スレッド保存部５４から関係スレッドを取得すると、その関係スレッドに該当するコンテンツ関連情報と集計グラフ情報とを電子掲示板サーバ２ｂから取得（ステップＳ６４）、フィルタ処理部５６にそのコンテンツ関連情報と集計グラフ情報とを供給する。そして、フィルタ処理部５６は、取得したコンテンツ関連情報に対してフィルタ処理を行い、集計グラフ情報と処理結果を取得スレッド保存部５７へ記録する（ステップＳ６５）。この時、フィルタ処理部５６は、特定の文字列を含むコンテンツ関連情報に対し、それらを除去、または別の文字列に置換する処理を行い、処理結果として、特定の文字列が除去または置換されたコンテンツ関連情報を記録する。
【０１５４】
また、コンテンツ関連情報取得処理部５５は、内部で時間経過を監視し、所定の時間経過したかどうかを判定する（ステップＳ６６）。所定の時間経過した場合は、ステップＳ６４の処理に移行して同様の処理を繰り返す。また、所定の時間経過していない場合は、再取得判定部５８は、スレッドリスト保存部５２に記録されているスレッドリストが最新のものかどうかを判定し（ステップＳ６７）、古い情報であると判定した場合には、ステップＳ６２の処理に移行する。ここでスレッドリスト保存部５２に記録されているスレッドリストが古い情報かどうかの判定は、取得スレッド保存部５７に記録される情報量がひとつのスレッドに登録可能な最大情報量に近づくか、または超えたかどうか、あるいは前回のスレッド取得の時刻からの経過時間等で行う。
【０１５５】
また、古い情報でないと判定した場合には、再取得判定部５８は、コンテンツの視聴が終了したかどうかを判定し（ステップＳ６８）、終了していない場合はステップＳ６６の処理に移行し、コンテンツの視聴が終了した場合は処理終了となる。
【０１５６】
一方、コンテンツ関連情報参照部５９は、蓄積スケジューラ部２６からコンテンツ関連情報取得制御情報が供給され、蓄積スケジューラ部２６から視聴対象コンテンツ情報を取得すると（ステップＳ７１）、取得した視聴対象コンテンツ情報を基に、取得スレッド保存部５７からコンテンツ関連情報を取得する（ステップＳ７２）。このコンテンツ関連情報は、特定の文字列が除去または置換されたコンテンツ関連情報である。
【０１５７】
次に、コンテンツ関連情報参照部５９は、コンテンツ関連情報を基にコンテンツ関連情報ウィンドウの画像を生成しＡＶ変換部１２に供給する（ステップＳ７３）。コンテンツ関連情報ウィンドウはＡＶ変換部１２によって表示される。また、コンテンツ関連情報参照部５９は、内部で時間経過を監視し、所定の時間経過したかどうかを判定する（ステップＳ７４）。所定の時間経過した場合は、ステップＳ７２の処理に移行して同様の処理を繰り返す。
【０１５８】
この所定の時間は、例えば１分とし、再生ウィンドウの画面に同期してコンテンツ関連情報を表示させる。また、この所定の時間についてはステップＳ６６とステップＳ７４で同一とし、スレッドより取得したコンテンツ関連情報を早いレスポンスで表示させるようにしても良い。
【０１５９】
コンテンツ関連情報参照部５９は、コンテンツの視聴が終了したかどうかを判定し（ステップＳ７５）、終了していない場合はステップＳ７４の処理に移行し、コンテンツの視聴が終了した場合は処理終了となる。
【０１６０】
留守禄のように受信装置１ｂが自動的に蓄積を行う自動蓄積時の動作について、図２１を用いて説明する。
【０１６１】
この処理は自動蓄積期間中、あるいは自動蓄積後に行われる。コンテンツ関連情報蓄積部２４は、蓄積スケジューラ部２６からコンテンツ関連情報取得制御情報が供給されると、電子掲示板サーバ２ｂからスレッドを取得する処理を開始する。
【０１６２】
スレッドリスト取得処理部５１は、蓄積スケジューラ部２６からコンテンツ関連情報取得制御情報が供給されると、蓄積スケジューラ部２６から視聴対象コンテンツ情報を取得する（ステップＳ８１）。
【０１６３】
次に、スレッドリスト取得処理部５１は、取得した視聴対象コンテンツ情報を基に、電子掲示板サーバ２ｂにアクセスして、現在登録されているスレッドリストを取得し、スレッドリスト保存部５２に記録する（ステップＳ８２）。電子掲示板サーバ２ｂには、放送局単位等、予め定められた分類でスレッドリストが用意されている。
【０１６４】
次に、取得スレッド選択処理部５３は、スレッドリスト保存部５２に記録されているスレッドリストと視聴対象コンテンツ情報とから視聴対象となっているコンテンツに関係する特定のスレッドを選別し、その選別されたスレッドを関係スレッドとしてカレント取得スレッド保存部５４に記録する（ステップＳ８３）。
【０１６５】
コンテンツ関連情報取得処理部５５は、蓄積スケジューラ部２６からコンテンツ関連情報取得制御情報が供給され、カレント取得スレッド保存部５４から関係スレッドを取得すると、その関係スレッドに該当するコンテンツ関連情報と集計グラフ情報とを電子掲示板サーバ２ｂから取得（ステップＳ８４）、フィルタ処理部５６にそのコンテンツ関連情報と集計グラフ情報とを供給する。そして、フィルタ処理部５６は、取得したコンテンツ関連情報に対してフィルタ処理を行い、集計グラフ情報と処理結果を取得スレッド保存部５７へ記録する（ステップＳ８５）。この時、フィルタ処理部５６は、特定の文字列を含むコンテンツ関連情報に対し、それらを除去、または別の文字列に置換する処理を行い、処理結果として、特定の文字列が除去または置換されたコンテンツ関連情報を記録する。
【０１６６】
次に、再取得判定部５８は、スレッドリスト保存部５２に記録されているスレッドリストが最新のものかどうかを判定し（ステップＳ８６）、古い情報であると判定した場合には、ステップＳ８２の処理に移行する。ここでスレッドリスト保存部５２に記録されているスレッドリストが古い情報かどうかの判定は、取得スレッド保存部５７に記録される情報量がひとつのスレッドに登録可能な最大情報量に近づくか、または超えたかどうか、あるいは前回のスレッド取得の時刻からの経過時間等で行う。
【０１６７】
また、古い情報でないと判定した場合には、再取得判定部５８は、コンテンツの視聴が終了したかどうかを判定し（ステップＳ８７）、終了していない場合はステップＳ８６の処理に移行し、コンテンツの視聴が終了した場合は処理終了となる。
【図面の簡単な説明】
【０１６８】
【図１】第１の実施形態におけるシステム構成を示す図である。
【図２】受信装置の大まかな機能構成を示す図である。
【図３】リモートコントローラの外観を示す図である。
【図４】再生制御部の機能構成を示す図である。
【図５】コンテンツ蓄積部の機能構成を示す図である。
【図６】集計グラフ作成部の機能構成を示す図である。
【図７】コンテンツ関連情報蓄積部の機能構成を示す図である。
【図８】投稿文データの一例を示す図である。
【図９】表示装置に表示される画面例を示す図である。
【図１０】表示装置に表示される画面例（フルスクリーン）を示す図である。
【図１１】集計グラフの一例（ａ）〜（ｃ）を示す図である。
【図１２】情報登録数をカウントする際の処理を示すフローチャートである。
【図１３】特定情報登録数をカウントする際の処理を示すフローチャートである。
【図１４】スレッドを取得する際の処理を示すフローチャートである。
【図１５】コンテンツ関連情報を表示する際の処理を示すフローチャートである。
【図１６】自動蓄積時におけるスレッドを取得する際の処理を示すフローチャートである。
【図１７】蓄積再生時におけるコンテンツ関連情報を表示する際の処理を示すフローチャートである。
【図１８】第２の実施形態におけるシステム構成を示す図である。
【図１９】スレッドを取得する際の処理を示すフローチャートである。
【図２０】コンテンツ関連情報を表示する際の処理を示すフローチャートである。
【図２１】自動蓄積時におけるスレッドを取得する際の処理を示すフローチャートである。
【符号の説明】
【０１６９】
１ａ、ｂ  受信装置
２ａ、ｂ  電子掲示板サーバ
３  通信端末
４  ネットワーク
７  表示装置
１１  再生制御部
１２  ＡＶ変換部
１３  操作情報受信部
１４  映像出力部
１５  音声出力部
１６  入力装置
２１  コンテンツ受信部
２２  コンテンツ蓄積部
２３  集計グラフ作成部
２４  コンテンツ関連情報蓄積部
２５  時間管理部
２６  蓄積スケジューラ部
３１  書き込み処理部
３２  読み出し処理部
３３  再生時刻変換部
３４  コンテンツ保存部
４１  分析処理部
４２  グラフ生成部
４３  座標時刻変換部
４４  分析結果保存部
５１  スレッドリスト取得処理部
５２  スレッドリスト保存部
５３  取得スレッド選択処理部
５４  カレント取得スレッド保存部
５５  コンテンツ関連情報取得処理部
５６  フィルタ処理部
５７  取得スレッド保存部
５８  再取得判定部
５９  コンテンツ関連情報参照部
６０  座標時刻変換部
６１  電子掲示板分析保存部
【図１】
2005223534.tif 000003
【図２】
2005223534.tif 000004
【図３】
2005223534.tif 000005
【図４】
2005223534.tif 000006
【図５】
2005223534.tif 000007
【図６】
2005223534.tif 000008
【図７】
2005223534.tif 000009
【図８】
2005223534.tif 000010
【図９】
2005223534.tif 000011
【図１０】
2005223534.tif 000012
【図１１】
2005223534.tif 000013
【図１２】
2005223534.tif 000014
【図１３】
2005223534.tif 000015
【図１４】
2005223534.tif 000016
【図１５】
2005223534.tif 000017
【図１６】
2005223534.tif 000018
【図１７】
2005223534.tif 000019
【図１８】
2005223534.tif 000020
【図１９】
2005223534.tif 000021
【図２０】
2005223534.tif 000022
【図２１】
2005223534.tif 000023